(57)【特許請求の範囲】
【請求項１】
遊技盤の遊技領域内に孔明け加工により貫設された役物組付孔の前側から役物装置として図柄透視用の開口窓を形成した装飾枠部材が装着される一方、遊技盤の裏側に前記開口窓の後方に整合する開口部を形成してパチンコ球誘導用の裏誘導樋として機能する枠形状の取付台が前記役物組付孔の開口外周囲に亘り装着され、この取付台の前記開口部に合わせた後側位置に図柄表示装置がその表示面を前記開口窓に臨ませた縦向き状態で着脱可能に装着され、さらに、遊技盤の遊技領域内に前記図柄表示装置の図柄を変動させる始動入賞器を設けてなるパチンコ機において、
前記装飾枠部材では、前記役物組付孔内に嵌合される方形状の周壁部内に前記開口窓が区画形成されるとともに、前記周壁部の左右両側壁部の後端から内向きに張り出して後ろ向きに屈曲する断面略Ｌ字形に形成された透明又は半透明な装飾レンズが取着され、また、前記周壁部の下壁部には前記始動入賞器への入賞個数を特定数だけ表示させるための保留球数表示部が段差状に形成されており、
前記取付台では、上側枠部と下側枠部と左右の側枠部により前記装飾枠部材の開口窓の後方に整合する開口部が形成されるとともに、左右の側枠部の外側にセーフ球用の側部球誘導路を有する側部球誘導樋が一体に形成される一方、上側枠部の中央部裏側に、前記図柄表示装置の上辺中央部を押込み係合する位置決め兼用の押片が形成されるとともに、下側枠部の左部と右部に、前記図柄表示装置の下側左部と下側右部を夫々ビス着固定するための取付用ボスが形成されており、
前記取付台の開口部に沿った左右縁部及び下縁部に亘り前記図柄表示装置に対する装飾照明部材が起立状態で着脱可能に装着され、
この装飾照明部材は、
前記取付台の下側枠部及び左右の側枠部に沿って略Ｕ字状に形成され、取付台の左右縁部及び下縁部に夫々形成されたボスにビス着固定されて前記装飾レンズと前記保留球数表示部の後側に位置する装飾用ランプ基板と、
該装飾用ランプ基板の左右の縦片部の前側に互いの先端が向かい合う横向き状態で配置接続された複数個の装飾ランプと、
前記装飾用ランプ基板の下横片部の前側に前向き状態で配置接続された複数個の保留球数表示ランプとを有し、
前記左右の装飾ランプが前記装飾レンズの左側縁と右側縁に夫々指向した状態で照明し得るとともに、前記保留球数表示ランプが前記装飾レンズの下辺部に形成された保留球数表示部の後側に指向した状態で照明し得るように構成したことを特徴とするパチンコ機。
【発明の詳細な説明】
【０００１】
【発明の属する技術分野】
この発明は、遊技盤の遊技領域内に貫設された役物組付孔に対し、その前側から役物装置が装着されるパチンコ機に関する。
【０００２】
【従来の技術】
従来、パチンコ機の遊技盤には、その遊技領域内において役物組付孔（ルータ孔とも呼ばれている）が貫設され、その役物組付孔には、その前側から役物装置が組み付けられるようになっているのが一般的である。また、役物装置はセンタ役物とも呼ばれ、中央部の開口窓に対し図柄表示装置が配設される装飾枠部材を主体として構成される形式の役物装置の他、開閉動作可能な羽根部材を有する可変入賞式の役物装置等がある。このような役物装置において、例えば、図柄表示装置の左右部において、役物装飾部材として装飾用照明具（ランプ、発光ダイオード等）を配設したり、あるいは、図柄表示装置に表示された各種の図柄に対応して合成樹脂製リーチ棒等の役物装飾部材を配設してパチンコ遊技を盛り立てるように構成することが望まれている。
【０００３】
【発明が解決しようとする課題】
ところで、役物装置において、装飾用照明具、合成樹脂製リーチ棒等の役物装飾部材を配設すると、役物装置自体が大型化する場合がある。役物装置が大型化すると、その大型化にともない、遊技盤の役物組付孔も大きく形成されることになる。遊技盤の役物組付孔が大きくなると、遊技盤の強度が低下される。さらに、遊技盤の遊技領域が狭くなり、他の入賞器、誘導釘等の配設が制限され、遊技領域の盤面構成の自由度が低下されるという不具合が生じる。
【０００４】
この発明の目的は、前記従来の問題点に鑑み、役物装置に関連する装飾枠部材を遊技盤の裏面側に装着可能にすることで、役物装置自体の大型化を抑制することができる役物装置を備えたパチンコ機を提供することである。
【０００５】
【課題を解決するための手段】
前記目的を達成するために本発明は、遊技盤の遊技領域内に孔明け加工により貫設された役物組付孔の前側から役物装置として図柄透視用の開口窓を形成した装飾枠部材が装着される一方、遊技盤の裏側に前記開口窓の後方に整合する開口部を形成してパチンコ球誘導用の裏誘導樋として機能する枠形状の取付台が前記役物組付孔の開口外周囲に亘り装着され、この取付台の前記開口部に合わせた後側位置に図柄表示装置がその表示面を前記開口窓に臨ませた縦向き状態で着脱可能に装着され、さらに、遊技盤の遊技領域内に前記図柄表示装置の図柄を変動させる始動入賞器を設けてなるパチンコ機において、
前記装飾枠部材では、前記役物組付孔内に嵌合される方形状の周壁部内に前記開口窓が区画形成されるとともに、前記周壁部の左右両側壁部の後端から内向きに張り出して後ろ向きに屈曲する断面略Ｌ字形に形成された透明又は半透明な装飾レンズが取着され、また、前記周壁部の下壁部には前記始動入賞器への入賞個数を特定数だけ表示させるための保留球数表示部が段差状に形成されており、
前記取付台では、上側枠部と下側枠部と左右の側枠部により前記装飾枠部材の開口窓の後方に整合する開口部が形成されるとともに、左右の側枠部の外側にセーフ球用の側部球誘導路を有する側部球誘導樋が一体に形成される一方、上側枠部の中央部裏側に、前記図柄表示装置の上辺中央部を押込み係合する位置決め兼用の押片が形成されるとともに、下側枠部の左部と右部に、前記図柄表示装置の下側左部と下側右部を夫々ビス着固定するための取付用ボスが形成されており、
前記取付台の開口部に沿った左右縁部及び下縁部に亘り前記図柄表示装置の表示面に対する装飾照明部材が起立状態で着脱可能に装着され、
この装飾照明部材は、
前記取付台の下側枠部及び左右の側枠部に沿って略Ｕ字状に形成され、取付台の左右縁部及び下縁部に夫々形成されたボスにビス着固定されて前記装飾レンズと前記保留球数表示部の後側に位置する装飾用ランプ基板と、
該装飾用ランプ基板の左右の縦片部の前側に互いの先端が向かい合う横向き状態で配置接続された複数個の装飾ランプと、
前記装飾用ランプ基板の下横片部の前側に前向き状態で配置接続された複数個の保留球数表示ランプとを有し、
前記左右の装飾ランプが前記装飾レンズの左側縁と右側縁に夫々指向した状態で照明し得るとともに、前記保留球数表示ランプが前記装飾レンズの下辺部に形成された保留球数表示部の後側に指向した状態で照明し得るように構成したパチンコ機を提供する。
したがって、遊技盤の裏面の役物組付孔の近傍に装着された取付台に対し、役物装置に関連する役物装飾部材が装着されるため、役物装飾部材の取り付けが原因となって役物装置が大型化したり、遊技盤の役物組付孔が大きくなる不具合を防止することができる。
【０００６】
また、取付台に対し役物装置に係る図柄表示装置や、役物装飾部材としての装飾用照明具が装着されることで、役物装置に対し、図柄表示装置や役物装飾部材としての装飾用照明具を装着する必要性が解消される。このため、図柄表示装置や装飾用照明具の取り付けが原因となって役物装置が大型化する不具合を解消することができるとともに、遊技盤の役物組付孔が大きくなる不具合も解消することができる。また、図柄表示装置の左右両側部において装飾用照明具を装着した場合においても、役物装置や役物組付孔が左右方向に拡大される不具合を防止することができる。
【０００７】
【発明の実施の形態】
（実施の形態１）
この発明の実施の形態１を図１〜図７にしたがって説明する。パチンコ機全体を前面から表した図６において、パチンコ機１の木枠２の前側には、前枠３が開閉可能に装着されている。前枠３の裏面には、その開口部の周縁部において図示しないベース枠が組み付けられ、そのベース枠の枠内には遊技盤１０が着脱可能に装着されている。遊技盤１０の前面の周縁部には案内レール１１が配設され、その案内レール１１の内側の遊技領域１２には、その略中央部に役物装置としての装飾枠部材３１が装着されている。
【０００８】
また、遊技盤１０の遊技領域１２には、装飾枠部材３１の上部左右両側方に位置して左右の風車器２０がそれぞれ装着され、装飾枠部材３１の下部寄りの左右両側方に位置して左右の一般入賞器２１が装着されている。さらに、遊技盤１０の遊技領域１２には、その装飾枠部材３１の直下に位置して始動入賞器２２が装着され、その始動入賞器２２の下方に位置して大入賞口２５を備えたアタッカ装置２４が装着されている。また、遊技盤１０の遊技領域１２の左右両側部には、そのアタッカ装置２４の左右両側部上方に位置して左右のサイド装飾部材１９がそれぞれ装着されている。さらに、遊技盤１０の遊技領域１２の最下部にはアウト口２９を構成する口金具２８が装着されている。
【０００９】
図７に示すように、遊技盤１０の遊技領域１２の略中央部には、装飾枠部材３１に対応する役物組付孔１３がルータ等による孔明け加工によって形成されている。また、遊技盤１０には、役物組付孔１３の他、左右の風車器２０に対応する組付孔１４、左右の一般入賞器２１に対応する組付孔１５、始動入賞器２２に対応する組付孔１６、アタッカ装置２４に対応する組付孔１７、左右のサイド装飾部材１９に対応する組付孔１８及びアウト口２９の口金具２８に対応する組付孔３０等が、ルータ等による孔明け加工によってそれぞれ形成されている。
【００１０】
遊技盤１０の役物組付孔１３には、遊技盤１０の前側から装飾枠部材３１が装着されるようになっている。図２〜図４に示すように、装飾枠部材３１は、装飾性を有する前面装飾部３２と、その前面装飾部３２の背面側において開口窓３３を構成するように突設された周壁部３４とを備えている。図４に示すように、装飾枠部材３１の周壁部３４の左右両側壁部には、透明、又は半透明でかつレンズとして機能する装飾レンズ３５が設けられている。また、図３に示すように、周壁部３４の下壁部には、始動入賞器２２の入賞口に流入したパチンコ球を特定数（例えば、最大で４個）だけ表示するための保留球数表示部３６が段差状に設けられている。すなわち、装飾枠部材３１は、その前面装飾部３２が遊技盤１０の前面に当接する位置まで、その周壁部３４が役物組付孔１３の前側から嵌挿される。そして、前面装飾部３２の周縁部の複数箇所に設けられた取付孔を通してビス等が遊技盤１０の前面にねじ込まれることで、装飾枠部材３１が装着されるようになっている。
【００１１】
図１に示すように、遊技盤１０の裏面には、役物組付孔１３の近傍において取付台５１が装着されている。取付台５１は、役物組付孔１３の４周縁部に沿う上側枠部５２、下側枠部５３及び左右の側枠部５４を備えて略方形の枠状に形成されている。この取付台５１は、その左右の側枠部５４から張り出された取付フランジ５７、並びに下側枠部５３の左右両端部寄りの取付部５８において、ビス、タッカ等によって遊技盤１０の裏面に装着されている。また、この実施の形態１において、取付台５１の左右の側枠部５４には、取付フランジ５７の下方に連続して側部球誘導樋５６が一体に張り出されている。この側部球誘導樋５６には、一般入賞器２１の入賞口に流入したパチンコ球を案内するための側部球誘導路５５が形成されている。これによって、取付台５１はパチンコ球を誘導する裏誘導樋としても機能するようになっている。
【００１２】
取付台５１には、その下側枠部５３と左右の側枠部５４とにわたって、役物装置に関連する役物装飾部材としての装飾ランプ６５を備えた装飾用ランプ基板６３を装着するための役物装飾用取付部が設けられている。この実施の形態１において、下側枠部５３の略中央部及び左右の側枠部５４の上部寄り部分の計３箇所に形成された取付用ボス６１と、左右の側枠部５４の下部寄り部分に形成された左右の両位置決め用ボス６２によって役物装飾用取付部が構成されている。
【００１３】
装飾用ランプ基板６３は、取付台５１の下側枠部５３及び左右の側枠部５４に沿って略Ｕ字状に形成されている。そして、装飾用ランプ基板６３は、各取付用ボス６１及び位置決め用ボス６２上に設置されかつ位置決め用ボス６２の位置決めピンによって位置決めされる。この状態において、図３に示すように、装飾用ランプ基板６３を通してビス６７が各取付用ボス６１にそれぞれねじ込まれることで、装飾用ランプ基板６３が位置決めされて装着されるようになっている。図１と図４に示すように、装飾用ランプ基板６３の左右の両側板部６３ａには、装飾枠部材３１の装飾レンズ３５に覆われる位置において、左右各複数（図１では左右各４つ）の装飾ランプ６５が組み付けられている。また、図１と図３に示すように、装飾用ランプ基板６３の下板部６３ｂには、保留球表示部３６に対する複数（図１では４つ）の保留球表示ランプ（ＬＥＤ等も含む）６６が組み付けられている。
【００１４】
また、この実施の形態１において、取付台５１には、装飾用ランプ基板６３の裏面側に所要の間隔を隔てて図柄表示装置４０を装着するための表示装置取付部が設けられている。この実施の形態１において、表示装置取付部は、コーナ壁部７４、当接壁部７５、取付用ボス７１、位置決め用ボス７２及び位置決め兼用押片７３を備えている。
【００１５】
コーナ壁部７４は、図１に向かって左側の側枠部５４の下端部と下側枠部５３の左端部とのコーナ部において、図柄表示装置４０の左下部を当接支持するように略Ｌ字状に突設されている。また、当接壁部７５は、下側枠部５３の図１に向かって右側において、図柄表示装置４０の下面を当接支持するように略平板状に突設されている。取付用ボス７１及び位置決め用ボス７２は、コーナ壁部７４及び当接壁部７５の下面にそれぞれ隣接して突設されている。位置決め兼用押片７３は、上側枠部５２の中央部に突設され、その先端部には、図３に示すように、下方に向けて直角状に押部７３ａが形成されている。
【００１６】
図柄表示装置４０は、液晶表示器、ドットマトリクス表示器、７セグメント表示器等よりなり、その前面の表示面４１には、抽選図柄（特別図柄）が表示されるようになっている。図１と図３に示すように、図柄表示装置４０は、略方形に形成され、その上部の中央部には、位置決め兼用押片７３の押部７３ａが差し込まれる凹部４２が後側面から前側近傍にわたって凹設されている。また、図柄表示装置４０の下面の左右両端部寄りには、取付用ボス７１及び位置決め用ボス７２の先端面に向けて張り出す左右一対の取付片４３が略垂下状に形成されている。
【００１７】
すなわち、図１と図３に示すように、図柄表示装置４０は、その凹部４２に位置決め兼用押片７３の押部７３ａが差し込まれながら、図柄表示装置４０の左下部のコーナ部がコーナ壁部７４に当接されかつ同図柄表示装置４０下面が当接壁部７５に当接された状態で設置される。この状態で、図柄表示装置４０の左右一対の取付片４３が取付用ボス７１及び位置決め用ボス７２の先端面に押し当てられ、位置決め用ボス７２の位置決めピンによって位置決めされる。ここで、左右一対の取付片４３を通してビス７７が各取付用ボス７１にそれぞれねじ込まれることで、取付台５１の表示装置取付部に図柄表示装置４０が位置決めされて装着されるようになっている。図３と図４に示すように、取付台５１の表示装置取付部に対し図柄表示装置４０が装着されることで、その前面の表示面４１の周縁部が、装飾枠部材３１の周壁部３４の先端部に当接する。この状態において、図柄表示装置４０の表示面４１が装飾枠部材３１の開口窓３３に露出され、開口窓３３をとおして表示面４１が視認可能となっている。
【００１８】
また、この実施の形態１において、図１に示すように、取付台５１には、その上側枠部５２の上部の左右両端部に位置して風車用基板取付部が形成され、その取付部には風車器２０を照明するためのランプを有する風車用ランプ基板８１が装着されている。さらに、取付台５１には、その側部球誘導樋５６の後面の略中央部に位置して入賞器用基板取付部が形成され、その取付部には一般入賞器２１を照明するためのランプを有する入賞器用ランプ基板８３が装着されている。
【００１９】
前記したように役物装飾用取付部、表示装置取付部等を備えた取付台５１は、ＡＢＳ樹脂等の合成樹脂の射出成形によって一体成形することが可能である。また、取付台５１、装飾用ランプ基板６３、風車用ランプ基板８１、入賞器用ランプ基板８３及び図柄表示装置４０を一体状に組み付けて裏取付台ユニットを構成することも可能である。なお、図柄表示装置４０は、遊技盤１０の裏面に対し、取付台５１が装着された後、その取付台５１に装着することもできるし、あらかじめ、取付台５１に装着することもできる。
【００２０】
図５に示すように、遊技盤１０の裏面には、取付台５１の下方に隣接して下側誘導樋ユニット９０が装着されている。この下側誘導樋ユニット９０は、下部誘導樋９１主体として構成されている。下部誘導樋９１の左右両側部には、左右のサイド装飾部材２６に設けられた入賞口に入ったパチンコ球及び前記した取付台５１の側部球誘導路５５を流下するパチンコ球を誘導案内する側部球誘導路９２が形成されている。これら側部球誘導路９２はその上端開口部が取付台５１の側部球誘導路５５の下端開口部にそれぞれ連通するとともに、側部球誘導路９２の下端開口部は、図示しない裏セット機構の下部集合樋に連通している。
【００２１】
下部誘導樋９１の中央部には、始動入賞器２２の入賞口に入ったパチンコ球を遊技盤１０の裏面側において誘導案内するための中央球誘導路（図示しない）が形成されている。また、下部誘導樋９１の裏面側の略中央部には、大小異なる大きさの２つの制御基板、この実施の形態１では、図示しないメイン制御基板に接続される大小異なる中継回路基板９６、９８を択一的あるいは共に装着するための中継基板取付部９５、９７がそれぞれ後方に向けて突出された状態で形成されている。中継基板取付部９５又は９７には、中継回路基板９６又は９８がそれぞれ位置決めされて装着されるようになっている。
【００２２】
下部誘導樋９１の中央部に装着された、中継回路基板９６（又は中継回路基板９８）にコネクタを介して延出された接続線の延出側の端末部にはコネクタプラグが設けれれている。そして、これら接続線の各コネクタプラグが、装飾用ランプ基板６３、風車用ランプ基板８１、入賞器用ランプ基板８３及び図柄表示装置４０にそれぞれ設けられたレセプタブルに対し差し込まれることで、中継回路基板９６に対し、装飾用ランプ基板６３、風車用ランプ基板８１、入賞器用ランプ基板８３及び図柄表示装置４０がそれぞれ電気的に接続されるようになっている。
【００２３】
この実施の形態１は上述したように構成される。したがって、図１、図３及び図４に示すように、遊技盤１０の裏面には、その役物組付孔１３の周囲において取付台５１が装着され、この取付台５１の役物装飾用取付部としての各取付用ボス６１及び位置決め用ボス６２に対し、役物装飾部材としての複数の装飾ランプ６５を有する装飾用ランプ基板６３が位置決めされて装着される。このようにして、取付台５１に対し装飾ランプ６５を有する装飾用ランプ基板６３が装着されることで、役物装置としての装飾枠部材３１に対し、役物装飾部材としての装飾ランプ６５を有する装飾用ランプ基板６３を取り付ける必要性が解消される。このため、装飾用ランプ基板６３の取り付けが原因となって装飾枠部材３１が大型化する不具合を解消することができるとともに、遊技盤１０の役物組付孔１３が大きくなる不具合も解消することができる。
【００２４】
また、装飾用ランプ基板６３の大きさ、形状においては、役物組付孔１３に制限されることなく設定可能となり、装飾用ランプ基板６３の大きさ、形状等の設定の自由度が増大する。さらに、装飾用ランプ基板６３を適宜に大きく形成することで、その装飾用ランプ基板６３に対するランプ回路、回路素子、装飾ランプ６５等の配設スペースの確保が容易となり、その配設の自由度が増大する。さらに、装飾用ランプ基板６３に対し、視認し易い大きさの管理番号を付記するスペースの確保も容易となる。また、この実施の形態１において、図２と図３に示すように、装飾用ランプ基板６３に対し保留球表示ランプ６６を組み付けることでも、装飾枠部材３１に対し保留球表示ランプ６６を組み付けるスペースを確保する必要性を解消することができ、装飾枠部材３１の小型化において有効である。
【００２５】
また、遊技盤１０の役物組付孔１３に対し、その前側（表側）から装飾枠部材３１が装着され、遊技盤１０の裏面に対しては取付台５１、装飾用ランプ基板６３、図柄表示装置４０を主体とする裏取付台ユニットが装着される。そして、装飾用ランプ基板６３や図柄表示装置４０に対する配線接続作業において、中継回路基板９６から延出された各接続線のコネクタプラグが装飾用ランプ基板６３、図柄表示装置４０等のレセプタブルに対し差し込まれることで、容易にかつ手早く正確に行うことができる。このように配線接続作業が遊技盤１０の裏面側だけで処理できるのは、遊技盤１０の表側で役物組付孔１３に装飾枠部材３１を差し入れる際に各接続線が邪魔にならない点でも好ましい。このため、パチンコ機１の組立工程において、遊技盤１０の表側に対しては、装飾枠部材３１を前記各接続線に関係することなく容易に行うことができる。この結果、遊技盤１０の表側に対する装飾枠部材３１等の各部品の組み付け作業と、遊技盤１０の裏側に対する取付台５１、装飾用ランプ基板６３、図柄表示装置４０等の各部品の組み付け作業とを平行して行うことが可能となり、１台のパチンコ機１の組み立てに要する時間を短縮化することができる。
【００２６】
さらに、取付台５１の表示装置取付部に対し図柄表示装置４０が装着されることで、役物組付孔１３よりも外形が大きい図柄表示装置４０の組み付けが可能となる。言い換えると、装飾枠部材３１に図柄表示装置４０を取り付けた場合には、役物組付孔１３の大きさを少なくとも図柄表示装置４０よりも大きく形成する必要性が生じる。これに対し、取付台５１に図柄表示装置４０を装着することで、その図柄表示装置４０に係わることなく役物組付孔１３の大きさを設定可能となり、役物組付孔１３を可及的に小さくすることができる。
【００２７】
パチンコ遊技の際、遊技盤１０の遊技領域１２上に発射されたパチンコ球は誘導釘（図示しない）に誘導案内されながら遊技領域１２の下方に向けて流れる。始動入賞器２２の入賞口にパチンコ球が流入すると、そのパチンコ球がセンサによって検出され、その検出信号がメイン制御基板に送られる。すると、メイン制御基板から制御信号が図柄表示装置４０に出力される。メイン制御基板から出力される制御信号に基づいて図柄表示装置４０の表示面４１に表示された図柄が変動し、設定時間後に停止する。これによって図柄表示装置４０の表示面４１には、制御信号に基づく図柄が表示される。
【００２８】
図柄表示装置４０の表示面４１に表示された図柄、例えば、表示面４１に表示された３つの図柄が「７」「７」「７」となって停止した場合、大当たりとなる。すると、アタッカー装置２４の大入賞口２５が開く。大入賞口２５にパチンコ球が１０個入るか、あるいは、３０秒経過すると、大入賞口２５は閉じる。大入賞口２５の開放時において、その大入賞口２５に設定されている特定領域にパチンコ球が入ると、大入賞口２５は前記設定条件において、一旦閉じた後、再び開く。前記大入賞口２５が最大１６回、開閉を繰り返すことで、大当りのパチンコ遊技が終了する。
【００２９】
また、前記したように大当たりとなった場合、装飾用ランプ基板６３の装飾ランプ６５を点滅させることで、その装飾ランプ６５の点滅によって装飾枠部材３１の開口窓３３の両側部の装飾レンズ３５が照明・非照明の状態となり、大当たり時のパチンコ遊技の迫力感や緊迫感等を増大させることができる。また、図柄表示装置４０の表示面４１に表示された３つの図柄のうち、２つの図柄が「７」「７」となって停止し、リーチ状態となったときに、装飾用ランプ基板６３の装飾ランプ６５を点滅させることで、遊技者に対し大当たりの期待感を増大させることができ、パチンコ遊技の面白味等を向上させることができる。
【００３０】
また、パチンコ遊技の際、始動入賞器２２の入賞口にパチンコ球が流入し、その検出信号がメイン制御基板に送られ最大で４個までメモリーされる。そして、そのパチンコ球のメモリー数に対応する数だけ装飾用ランプ基板６３の保留球表示ランプ６６が点灯される。この保留球表示ランプ６６の点灯が、装飾枠部材３１の保留球表示部３６において確認可能となる。
【００３１】
また、この実施の形態１において、取付台５１には、一般入賞器２１の入賞口に流入したパチンコ球を案内するための側部球誘導路５５を有する側部球誘導樋５６が一体に形成され、パチンコ球を誘導する裏誘導樋としても機能するようになっている。このため、遊技盤１０の裏面に対し、一般入賞器２１の入賞口に流入したパチンコ球を案内するための専用の裏誘導樋を個別に製作して配設する必要性が解消される。また、形式が異なるパチンコ機においては、その遊技盤の裏面に装着される取付台５１の側部球誘導樋５６に対応する位置に、入賞器が配設されないこともある。この場合においても、取付台５１を使用することが可能であり、取付台５１を共通化してコスト低減を図ることが可能となる。
【００３２】
（実施の形態２）
次に、この発明の実施の形態２を図８と図９にしたがって説明する。図８と図９に示すように、この実施の形態２においても、遊技盤１０の役物組付孔１３に対し、その前側（表側）から役物装置としての装飾枠部材３１が装着されている。また、遊技盤１０の裏面には、取付台５１、役物装飾部材としての装飾ランプ６５を有する装飾用ランプ基板６３、図柄表示装置４０を主体とする裏取付台ユニットが装着されてる。
【００３３】
装飾枠部材３１の開口窓３３を構成する周壁部３４の左右の壁部の奥側端と、取付台５１の左右の側枠部５４との間において、その前側には、左右のワープ通路１０１を形成する左右のワープ樋１００が配設され、その左右のワープ樋１００の後側には、装飾レンズ３５が配設されている。この装飾レンズ３５は、装飾用ランプ基板６３の左右の装飾ランプ６５の側方及び前方を覆う側板部と前板部を備えて断面略Ｌ字状に形成されている。また、左右のワープ樋１００と、装飾レンズ３５は、それぞれ透明又は半透明の合成樹脂より形成されている。そして、左右のワープ樋１００の前面は、装飾枠部材３１の開口窓３３の左右両側部においてそれぞれ視認可能に露出している。また、装飾レンズ３５の前板部に対向する取付台５１の左右の側枠部５４の部分には、装飾ランプ６５が発する光を装飾レンズ３５の前板部に向けて反射する反射面５４ａが設けられている。
【００３４】
また、この実施の形態２において、左右のワープ樋１００及び左右の装飾レンズ３５は、装飾枠部材３１側に装着されている。また、左右のワープ樋１００の上部は、装飾枠部材３１の前面装飾部３２の上部左右両側部までそれぞれ延出されて開口し、その開口部をワープ入口１０２としている。さらに、左右のワープ樋１００の下部は、装飾枠部材３１の開口窓３３の左右両側部の下部まで延出されて開口し、その開口部をワープ出口１０３としている。この実施の形態２のその他の構成は、実施の形態１と略同様にして構成されるため、その説明は省略する。
【００３５】
したがって、この実施の形態２においても、取付台５１に対し装飾ランプ６５を有する装飾用ランプ基板６３が装着されることで、役物装置としての装飾枠部材３１に対し、役物装飾部材としての装飾ランプ６５を有する装飾用ランプ基板６３を取り付ける必要性が解消される。このため、装飾用ランプ基板６３の取り付けが原因となって装飾枠部材３１が大型化する不具合を解消することができるとともに、遊技盤１０の役物組付孔１３が大きくなる不具合も解消することができる等の効果がある。
【００３６】
特に、この実施の形態２において、装飾枠部材３１の開口窓３３の左右の壁部の奥側には、ワープ通路１０１をそれぞれ有する左右のワープ樋１００が装着されている。このため、遊技盤１０の裏側に左右のワープ通路を配設するスペースを確保する必要性が解消される。また、左右のワープ樋１００は、透明又は半透明に形成され、その各前面は、装飾枠部材３１の開口窓３３の左右両側部においてそれぞれ視認可能に露出している。このため、ワープ樋１００のワープ入口１０２からワープ通路１０１に流入したパチンコ球がワープ樋１００を透してパチンコ機の前方から視認可能となる。すなわち、従来では、遊技盤１０の裏側にワープ通路１０１が配設され、そのワープ通路１０１を流れるパチンコ球の存在が確認不能となる不具合があるのに対し、この実施の形態２では、その不具合が解消される。
【００３７】
また、この実施の形態２において、左右のワープ樋１００の後側に隣接して左右の断面略Ｌ字状の装飾レンズ３５が装着されている。このため、装飾枠部材３１を左右方向に拡大することなく電飾機能をもたせることが可能となり、装飾枠部材３１が左右方向に大型化したり、役物組付孔１３が左右方向に大きくなる不具合が生じない。また、パチンコ遊技の際、装飾用ランプ基板６３の装飾ランプ６５を点灯させることで、その装飾ランプ６５の光が断面略Ｌ字状の装飾レンズ３５の側板部及び前板部を透して出射される。この装飾レンズ３５の前板部を透して出射される光によって左右のワープ樋１００が照明されるため、ワープ通路１０１を流れるパチンコ球の存在がより一層明らかとなる。また、ワープ樋１００が透光程度（透明度）が相当低い半透明材料で形成され、非照明の状態では、球の確認がほとんどできない場合であっても、装飾ランプ６５で照明することによって、少なくとも球のシルエットが視認可能となる。
【００３８】
また、パチンコ遊技の際、大当たりとなった場合、装飾用ランプ基板６３の装飾ランプ６５を点滅させることで、その装飾ランプ６５の点滅によって装飾レンズ３５の側板部及び前板部が照明・非照明の状態となり、大当たり時のパチンコ遊技の迫力感や緊迫感等を増大させることができる。さらに、リーチ状態となったときにも、装飾用ランプ基板６３の装飾ランプ６５を点滅させることで、遊技者に対し大当たりの期待感を増大させることができ、パチンコ遊技の面白味等を向上させることができる。
【００３９】
なお、前記実施の形態１及び２において、役物装置が装飾枠部材３１によって構成され、その開口窓３３に対応する位置において、取付台５１に図柄表示装置４０が装着される場合を例示したが、これに限定するものではない。例えば、開閉動作可能な羽根部材を有する可変入賞式の役物装置であってもよい。また、役物装置に関連する役物装飾部材としては、装飾ランプ６５、ＬＥＤ等の装飾用照明具に限定するものではない。例えば、可動リーチ棒、可動キャラクタ部材等の役物装飾部材であってもよい。
【００４０】
【発明の効果】
以上述べたように、この発明によれば、役物装置に関連する役物装飾部材を遊技盤の裏面側に装着可能にすることで、役物装置自体の大型化や、役物組付孔の大型化を抑制することができる。このため、遊技盤の遊技領域に対する他の入賞器、風車器、誘導釘等の配設の自由度が損なわれたり、遊技盤の強度が低下される等の不具合を防止することができる。
【図面の簡単な説明】
【図１】この発明の実施の形態１の取付台に対する装飾用ランプ基板、図柄表示装置等の配設状態を示すパチンコ機の裏面側から示す背面図である。
【図２】同じく役物装置としての装飾枠部材と、役物装飾部材としての装飾ランプとの関係をパチンコ機の表面側から示す正面図である。
【図３】同じく図２のＩＩＩ−ＩＩＩ線に基づく断面図である。
【図４】同じく図２のＩＶ−ＩＶ線に基づく断面図である。
【図５】同じく遊技盤の裏面に対する取付台及び下側誘導樋ユニットの配設状態を示す遊技盤の背面図である。
【図６】同じくパチンコ機全体を示す正面図である。
【図７】同じく遊技盤に対する役物組付孔並びに各種の組付孔の配設状態を示す説明図である。
【図８】この発明の実施の形態２の役物装置としての装飾枠部材と、役物装飾部材としての装飾ランプとの関係をパチンコ機の表面側から示す正面図である。
【図９】同じく図８のＩＸ−ＩＸ線に基づく断面図である。
【符号の説明】
１ パチンコ機
１０ 遊技盤
１２ 遊技領域
１３ 役物組付孔
２２ 始動入賞器
３１ 装飾枠部材（役物装置）
３３ 開口窓
３４ 周壁部
３５ ランプカバー部
３６ 保留球数表示部
４０ 図柄表示装置
４１ 表示面
５１ 取付台
５２ 上側枠部
５３ 下側枠部
５４，５４ 側枠部
５５，５５ 側部球誘導路
５６，５６ 側部球誘導樋
６１，６２ ボス
６３ 装飾用ランプ基板
６５ 装飾ランプ（装飾用照明具）
６６ 保留球数表示ランプ
７１，７１ 取付用ボス
７３ 押片
【図１】
0004517206.tif 000002
【図２】
0004517206.tif 000003
【図３】
0004517206.tif 000004
【図４】
0004517206.tif 000005
【図５】
0004517206.tif 000006
【図６】
0004517206.tif 000007
【図７】
0004517206.tif 000008
【図８】
0004517206.tif 000009
【図９】
0004517206.tif 000010